(57)【要約】本発明は、容器と、容器用の対応するブランクとに関し、容器は、食品を受け入れるための下部および上部を有する。下部および上部は、各々６つまたは８つの側壁と、側壁に接続された実質的に平らな底壁または上壁とを有する。下部の接続側壁と上部の接続側壁との間に旋回接続部が形成され、側壁の自由端は，水平面に対して斜めに延びる端面で終わる。これにより、一方では容器が閉じているときに食品を安全に保管することができ、他方では容器が開いているときに食品によりアクセスしやすくすることができる。アクセス可能性の向上に加えて、食品は、前側壁に面する側でより大きく見えるので、消費者にとって有利な方法で提供されもする。【選択図】図４
2021502932.tif 000002
【特許請求の範囲】
【請求項１】
各々６つまたは８つの側壁（４〜９、１０〜１５）ならびにそれらに接続された実質的に平らな底壁（１６）および上壁（１７）をそれぞれ有する、下部（２）と上部（３）を備える食品用の容器（１）であって、前記下部（２）の接続側壁（４）と前記上部（３）の接続側壁（１０）との間に旋回接続部（１８）が形成され、側壁（４〜１５）の自由端（１９）は、水平面（２０）に対して斜めに延びる端面（２１、２２）で終わる、容器（１）。
【請求項２】
前記上部（３）の側壁（１０〜１５）の自由端（１９）は、第１の端面（２１）で終わり、前記下部（２）の側壁（４〜９）の自由端（１９）は、第２の端面（２２）で終わり、端面（２１、２２）は、互いに平行に延びる、請求項１に記載の容器。
【請求項３】
容器（１）が開いてその底壁（１６）または上壁（１７）が実質的に水平な支持体（２５）上に置かれているとき、第１の端面（２１）は、前記支持体（２５）に対して第２の端面（２２）よりも高く配置されている、請求項１または２に記載の容器。
【請求項４】
前記上壁（１７）から自由端（１９）までの前記上部（３）の側壁（１０〜１５）は、前記底壁（１６）から自由端（１９）までの前記下部（２）の側壁（４〜９）よりも大きい高さ（２６）を有し、前記上部（３）および前記下部（２）の前記接続側壁（４、１０）は、対応する同じ高さ（２６）を有する、請求項１〜３のいずれか１項に記載の容器。
【請求項５】
前記上部（３）の側壁（１０〜１５）は、前記接続側壁（４）を除いて、容器（１）の閉じた状態で外側から前記下部（２）の側壁（５〜９）を部分的にオーバーラップしている、請求項１〜４のいずれか１項に記載の容器。
【請求項６】
前記上部（３）の前側壁（１５）は、壁面の延長部において実質的に横方向に突出する２つのロックアーム（２７）を有し、前記２つのロックアーム（２７）は、容器（１）の閉じた状態で前記下部（２）の側壁（５、６）から突出する２つのラッチアーム（２８）の下で係合する、請求項１〜５のいずれか１項に記載の容器。
【請求項７】
前記前側壁（１５）は、前記ラッチアーム（２８）の配置のために、前記ロックアーム（２７）の上方に凹部（２９）を有する、請求項１〜６のいずれか１項に記載の容器。
【請求項８】
前記前側壁（１５）に隣接する前記上部（３）の側壁（１１、１２）は、ラッチアーム（２８）を有する側壁（１１、１２）の自由端（１９）を部分的に受容するための受容カットアウト（３０）を有する、請求項１〜７のいずれか１項に記載の容器。
【請求項９】
前記底壁（１６）は、側壁（４〜９）まで実質的に平坦である、請求項１〜８のいずれか１項に記載の容器。
【請求項１０】
前記上壁（１７）は、丸みを帯びた接続セクション（３１）によって側壁（１０〜１５）に接続されている、請求項１〜９のいずれか１項に記載の容器。
【請求項１１】
請求項１〜１０のいずれか１項に記載の容器（１）用のブランク（３２）であって、前記ブランク（３２）は、少なくとも１つの底壁部分（３３）と、前記底壁部分（３３）を区切る実質的に直線の折り線（３６）を介して前記底壁部分（３３）に接続された側壁（４〜９）と、上壁部分（３５）と、前記上壁部分（３５）におよび前記上壁部分（３５）から外側に延びる折り線（３６）を介して相互に接続された側壁（１０〜１５）と、を含み、それぞれ上部（３）および下部（２）の関連する接続側壁（１０、４）間に旋回接続部（１８）が形成される、ブランク（３２）。
【請求項１２】
前記下部（２）の側壁（４〜９）は、接続側壁（４）から前側壁（９）まで減少する高さ（２６）で形成され、前記上部（３）の側壁（１０〜１５）は、接続側壁（１０）から前側壁（１５）まで増加する高さ（２６）で形成される、請求項１１に記載のブランク。
【請求項１３】
接続側壁（４、１０）と前側壁（９、１５）との間の側壁（４〜１９）の高さ（２６）は、それぞれ、連続的に減少するかまたは増加する、請求項１１または１２に記載のブランク。
【請求項１４】
接着フラップ（３７、３８）が、少なくともいくつかの側壁（４〜１５）から横方向に突出している、請求項１１〜１３のいずれか１項に記載のブランク。
【請求項１５】
前記下部（２）の側壁（４〜９）上の接着フラップ（３７）は、実質的に三角形の形状である、請求項１１〜１４のいずれか１項に記載のブランク。
【請求項１６】
前記上部（３）の側壁（１０〜１５）上の接着フラップ（３８）は、本質的に丸みを帯びている、請求項１１〜１５のいずれか１項に記載のブランク。
【請求項１７】
前記旋回接続部（１８）は、中央の実質的に波状の切断線（３９）と、横方向に隣接する折り線（４０）とによって形成される、請求項１１〜１６のいずれか１項に記載のブランク。
【請求項１８】
接着フラップ（３７）は、支持体（２）の前側壁（９）と隣接する側壁（５、６）との間にラッチアームカット（４１）を有する、請求項１１〜１７のいずれか１項に記載のブランク。
【請求項１９】
前記上部（３）の前側壁（１５）の自由端（１９）からロックアーム（２７）が横方向に突出している、請求項１１〜１８のいずれか１項に記載のブランク。
【請求項２０】
前記上部（３）の側壁（１０〜１５）は、内側に丸められている、請求項１１〜１９のいずれか１項に記載のブランク。
【発明の詳細な説明】
【技術分野】
【０００１】
本発明は、ハンバーガーなどの食品用容器に関する。このような容器は下部および上部を含む。部品は、異なる断面を有することができ、それにより、本発明によれば、六角形または八角形の断面が好ましく、その結果、対応する部品は、各々６つまたは８つの側壁を有する。さらに、下部は本質的に平坦な底壁を有し、上部は上壁を有する。これらは、対応する側壁に接続されている。
【発明の概要】
【課題を解決するための手段】
【０００２】
閉鎖位置と開放位置との間で下部に対して上部を旋回させることができるようにするために、上部の接続側壁と下部の接続側壁との間に旋回接続部が形成され、それを介して接続側壁は互いに接続されている。
【０００３】
一方で容器が閉じているときに食品を安全に保管することができ、他方で容器が開いているときに食品をより簡単にアクセスできるようにするために、上部および下部の側壁の自由端は、水平面に対して斜めに伸びる端面で終わる。この端面は、特に容器が開いているとき、上部の対応する前側壁から斜め下向きに下部の前側壁まで延びる。食品は下部に配置され、前側壁の高さが比較的低いので、簡単にアクセスできる。改善されたアクセス可能性に加えて、食品は、前側壁に面する側で大きく見えるので、消費者にとってより有利な方法で提供もされる。
【０００４】
容器が閉じているとき、食品は容器内に含まれ、通常、外側からは見えない。
【０００５】
本発明による容器の場合、上部の側壁の自由端が第１の端面に配置され、下部の側壁の自由端が第２の端面に配置され、両端面が互いに平行であることが考えられる。第１および第２の端面が同じ端面内を延び、したがって互いに離間されないことも考えられる。
【０００６】
端面が斜めに延びているので、容器が開いているときに、第１の端面が支持体に対して第２の端面よりも高い位置にあり、それによりこの開放状態において底壁または上壁がこの本質的に水平な支持体に支えられることも有利である。
【０００７】
閉じたときに容器内の食品をよりよく保護するために、上壁からその自由端までの上部の側壁は、底壁からその自由端までの下部の側壁よりも高くてよく、上部および下部の接続側壁は同じ対応する高さを有してよい。自由端は、第１および第２の端面に沿っていることに注意されたい。
【０００８】
対応する接続側壁を除いて、上部の側壁が、容器が閉じられたときに外側から下部の側壁に部分的にオーバーラップすることも考えられる。下部および上部の対応する側壁の自由端が互いに当接することも考えられる。
【０００９】
容器を閉じた状態で固定するために、上部の前側壁が、前側壁の壁面の延長上で実質的に横方向に突出する２つのロックアームを有して、そのロックアームが、容器が閉じているときに下部の側壁から突出する２つのラッチアームの下に係合する場合、有利であり得る。
【００１０】
ラッチアームをロックアームと容易に係合できるようにするために、ロックアームの上の前側壁は、各ラッチアームを収容するための凹部を有することができる。
【００１１】
閉じたときに下部の側壁の自由端を簡単な方法で収容できるようにするために、前側壁に隣接する上部の側壁に、スナップインフック付きの側壁の自由端を部分的に収容するための受容カットアウトを設けることも考えられる。
【００１２】
閉じた状態および開いた状態の両方で容器を支持体上に安全に置くことができるようにするために、底壁は、本質的に側壁まで平らにすることができる。
【００１３】
上壁も平らなので、容器が開いているとき、底壁および上壁の対応する平らな領域が支持体に支えられる。しかしながら、平らな上壁は、丸みを帯びた接続セクション分によって側壁に接続されることが可能である。
【００１４】
本発明はまた、そのような容器のためのブランクに関する。そのようなブランクは、少なくとも１つの底壁部分、直線で底壁部分を本質的に規定する折り線によってこれらに接続された側壁、上壁部分、および上壁部分から外側へ延びる折り線によってこの上壁部分に接続された側壁を有する。対応するピボット接続が、上部および下部の側壁間に形成され、互いに割り当てられる。
【００１５】
以前の設計によれば、下部の側壁は、接続壁から前側壁まで減少する高さであり得、上部の側壁は、対応する接続壁から前側壁まで増加する高さであり得る。これは、第１または第２の端面における側壁の自由端の対応する配置をもたらす。この配置は、特に、必要に応じて、接続側壁と前側壁との間の側壁の高さが連続的に減少または増加し、それにより上部の高さの増加および下部の高さの減少が生じるという事実によって支持される。
【００１６】
ワンピースかつ二次元のブランクから簡単な方法で容器を製造できるようにするために、接着フラップが、側壁の少なくともいくつかから横方向に突出することができる。容器を構成するために、次に、側壁は、対応する底壁または上壁の反対側で内側に折り曲げられ、接着フラップによって互いに接合される。接続は通常、それぞれの接着フラップに塗布された接着剤によって行われる。上部とは異なる方法で幾何学的に下部を構築するために、下部の側壁の接着フラップは、例えば、本質的に三角形であり得る。このような三角形の接着フラップは、一方の側壁から突き出ていてもよく、容器が組み立てられるときに、後者の内側で直接隣接する側壁に接合される。各側壁が直接隣接する側壁に接着される接着フラップを有することが可能である。１つの側壁が２つの側方接着フラップを有することも考えられ、その結果、対応する接着フラップは、下部の２つごとの側壁にのみ設けられる必要がある。接着フラップは、折り線によって関連する側壁に接続されている。
【００１７】
上部の側壁の接着フラップも同じ方法で設計できる。しかしながら、別の実施形態では、上部の側壁の接着フラップは、本質的に丸くすることができる。これは、これらの接着フラップが外側の丸みを帯びた形状を有し、それによりそのような接着フラップを各側壁におよび／または上部の側壁に対で提供することもできることを意味する。
【００１８】
簡単な方法でピボット接続を確立するために、それは中央の、本質的に波状のカットラインと、これらに横方向に隣接する折り線から形成することができる。波状のカットラインにより、下部に対する上部の簡単な旋回が可能になり、隣接する折り線を介して上部と下部との間の接続が維持される。
【００１９】
旋回接続の対応するラッチアームを容易に確立できるようにするために、下部の前側壁と隣接する側壁との間の接着フラップは、ラッチアームカットを有することができる。次に、前側壁が隣接する側壁に対して旋回されると、このラッチアームカットにより、対応するラッチアームが生じ、これは、容器が閉じられたときにロックアームと係合する。
【００２０】
ワンピースの二次元ブランクによって簡単な方法でロックアームも形成するために、ロックアームは、上部の前側壁の各自由側壁端から横方向に突出することができる。
【００２１】
上部の側壁を下部の側壁とは異なる方法で配置および接続するために、上部の側壁は、上壁の方向にそれらの側縁に沿って内側に丸められてもよい。これは、これらの側壁の幅が上部の壁に向かって減少することを意味する。これにより、側壁と上壁との間の上部が丸みを帯びた形状になる。
【００２２】
以下では、本発明の有利な実施形態が、添付の図を使用してより詳細に説明される。
【図面の簡単な説明】
【００２３】
【図１】図１は、本発明による容器を斜め前方から見た斜視図を示す。
【図２】図２は、図１による容器の正面図を示す。
【図３】図３は、図２による容器の側面図を示す。
【図４】図４は、本発明で定義される、開いた状態の容器の側面図を示す。
【図５】図５は、図１〜図４の容器のブランクの上面図を示す。
【発明を実施するための形態】
【００２４】
図１は、本発明による容器１の一実施形態の斜め前方から見た斜視図を示す。この容器は、下部２および上部３を有する。下部２は底壁１６を有し、図５によるブランクも参照され、そこから６つの側壁４〜９が斜め上方に延びる。これにより、下部の断面はほぼ六角形になる。例えば、８つの側壁および対応する底壁１６を有する八角形断面を使用することも可能である。
【００２５】
上部３も６つの側壁１０〜１５を有し、図５によるブランクも再び参照され、それらは、丸みを帯びた接続セクション３１を介して、対応する本質的に平坦な上壁１７に接続されている。この上壁は、容器が閉じているとき、底壁１６とほぼ平行に配置される。上部３のさまざまな側壁１０〜１５間には、上壁１７の方向に接続セクション３１へと延びる縁部４５が形成されている。縁部４５は、特に接続セクションの領域で、折り線によって形成され、側壁間の交差線については、図５を参照されたい。さまざまな側壁は、側壁の縁部が縁と縁とを接しているように、対応する接着フラップ３８によって互いに接合される。
【００２６】
下部２の側壁４〜９も、対応する接着フラップ３７を有し（図５参照）、それらによって互いに接続される。
【００２７】
前側壁９または１５の領域において、下部２および上部３は、互いに取り外し可能に接続される。これは、図１による容器１の閉鎖状態を保証する。異なる部品の取り外し可能な接続のために、ロックアーム２７およびラッチアーム２８が提供される。ロックアーム２７は、前側壁９に隣接する側壁５および６からこれらの側壁の長手方向に突出している。図１によれば、これらのロックアーム２７は、対応するラッチアーム２８によってアンダーカットされる。これらのラッチアームは、上部３の前側壁１５から両側に突出している。これらは、ほぼフック形状であり、それにより対応するフックデザインがロックアーム２７にも提供される。容器１を開けるために、例えば、ユーザーは、下部の前側壁９から離れるようにそれらを前方に偏向させることにより対応するラッチアーム２８をそれらの係合から解放することが容易に可能である。前側壁１５は、ロックアーム２７が配置されるラッチアーム２８の真上に凹部２９を有する。さらに、前側壁１５と、直接隣接する側壁１１および１２との間に受容カットアウト３０があり、その中に側壁５および６の自由上端１９が突出する。
【００２８】
この特定の接続デバイスは、簡単な方法で、かつ追加の手段なしで、容器１を開閉することを可能にする。
【００２９】
図２には、図１の容器１の正面図が示されている。この図では、ロックアーム２７とラッチアーム２８、および凹部２９と受容カットアウト３０が容器１を閉じるためにどのように相互作用するかを再認識可能である。側壁と下部および上部との残りの説明については、図１および以下の説明が参照される。同一の部品は、すべての図で同じ参照番号で説明されている。
【００３０】
図３は、図２または図１による容器１の側面図を示す。特に、上部３の側壁１１および１２の自由端１９は、例えば水平線に対して斜め下向きの角度で延びていることが分かる。この経路は、受容カットアウト３０の領域でのみ中断され、それにより、側壁５の３０の部分がこの受容カットアウト３０に配置され、それにより、ロックアーム２７がこの受容カットアウト３０から斜め前方に突出する（図２も参照）。対応するロックアーム２７は、ラッチアーム２８によってこの位置でアンダーカットされる。
【００３１】
図３では、特に、上壁１７および底壁１６は、容器が閉じているとき、互いに平行に配置されていることが分かる。前側とは反対側で、対応する後側壁４および１０は、旋回接続部１８によって接続側壁として互いに旋回可能に接続（連結）されている（図４、図５も参照）。
【００３２】
図３では、側壁１１〜１５（すなわち接続側壁１０を除いて）が、下部２の対応する側壁５〜９に外側からオーバーラップしていることも分かる（図２も参照）。これは、自由端１９まで下部２の対応する側壁５の一部が見える収容カットアウト３０には当てはまらない。
【００３３】
さらに、図３は、側壁が、丸みを帯びた接続セクション３１を通って上壁１７に合流することも示している（図２も参照）。
【００３４】
図４では、容器１は開いた状態で示されている。この状態では、上壁１７および底壁１６も水平支持体２５と接触している。これは、それらが支持体２５上に平面的に存在するように、上壁および底壁の領域において、下部および上部がそれぞれ本質的に平坦であることを意味する。例えば、２つの部品の接続側壁４と接続側壁１０との間の対応する旋回接続部１８が、支持体２５に対して高さ４４で配置されるように、そして、対応するすべての側壁の自由端１９が、支持体２５に平行な水平面２０に対して角度２４で傾斜した端面２１または２２で本質的に終わるように、接触が行われる。第１の端面２１は、下部２の側壁４〜９の自由端のために決定されてよく、第２の端面２２は、上部３の側壁１０〜１５の自由端１９のために決定されてよい。
【００３５】
下部２の側壁４〜９に対して閉じた状態の上部の側壁１０〜１５のオーバーラップが実現している場合、これらの異なる端面は、第１の端面２１と第２の端面２２との間の対応する距離２３に見られるように、互いに平行に配置される。すべての側壁の自由端１９が１つの端面のみで終わることも可能であり、その場合、閉じた状態で側壁の対応するオーバーラップはない。しかしながら、容器は、図１〜図３で説明したのと同じ方法で閉じることができる。
【００３６】
端面２１または２２の対応する傾斜は、下部２の前側壁９に向かって下向きに傾斜しているので、容器１のこの前側壁９の前に通常座るユーザーは、下部２内の食品を見下ろすことができる。下部２の前側壁９は上部３の前側壁１５よりもはるかに低いので、食品をそれ自体の高さの大部分にわたって見ることができ、特に、必要に応じて簡単に下部２から取り出したり下部２に戻したりできる。
【００３７】
自由端１９のこの斜めの延長を達成するために、下部および上部のさまざまな側壁は、容器１が開いているとき、前側壁９の方向に増加する高さ２６を有する（図４参照）。この側壁は各側壁に沿って連続的に上昇し、下部２の前側壁９は最も低い高さを有し、上部３の前側壁１５は最も高い高さを有する。
【００３８】
図１〜図３による対応するロックの可能性を実現するために、上部３の前側壁１５では、その自由端が第２の端面２２をわずかに超えて突出することを保証する必要がある。
【００３９】
図４は、前側壁１５と、直接隣接する側壁１４との間で、受容カットアウト３０を示す。
【００４０】
対応する角度２４は、５°と３０°の間、または好ましくは７°と１８°の間であり得る。さらに、図４では、側壁５または６から対応するロックアーム２７が斜め前方に突き出ていて、容器１の閉位置では、ラッチアーム２８が下に達することが分かる（図１または図３参照）。
【００４１】
図５は、図１〜図４による容器１を製造するための二次元かつワンピースのブランク３２の上面図を示す。
【００４２】
特に、図５は、ブランク３２が、六角形の輪郭を有する底壁１６を形成する底壁部分３３を有することを示す。対応する底壁部分３３が八角形の輪郭を有することもできることはすでに指摘された。側壁４〜９は、対応する折り線３４を介して底壁部分３３に接続されている。図５は、これらの側壁の対応する高さが、前側壁９で最も低く、接続側壁４で最も高いことも示す。前側壁９はその両端に接着フラップ３７を有し、それらはラッチアームカット４１により直接隣接する側壁５および６から分離されている。さらなる折り線３４が接着フラップ３７と前側壁９との間に配置されているので、前側壁９が斜め上向きに立てられると、対応する接着フラップ３７が内側に折り畳まれ、例えば接着剤によって隣接する側壁５または６の内側に対して位置決めされる。対応するラッチアームカット４１は、隣接する側壁５、６の領域に対応するラッチアーム２８を形成する。
【００４３】
対応する交差線がすべての側壁間に形成され、それにより、いくつかの側壁（例えば側壁７、８および接続側壁４）は、少なくとも片側または両側の接着フラップを有する。これらはまた、対応する折り線によって関連する側壁に接続されていて、上向きの角度で組み立てられた側壁の場合、内側から隣接する側壁に適用されて、接着剤でそこで接合される。
【００４４】
下部２の接着フラップ３７には、実質的に三角形の断面が使用される。接着フラップは、下部２の側壁が直立したときに、それらの自由端が側壁の自由端と平行に延びて、対応する端面でこれらとともに終わるように設計されている（図４参照）。
【００４５】
上部３は、上壁１７を形成するために対応する上壁部分３５を有する。この部分は、対応する接続セクション３１を介して側壁１０〜１５に接続されている。折り線３６は、接続セクション３１の領域に配置され、これにより、側壁１０〜１５は、これらの折り線３６の続きで互いに分離される。いくつかの側壁は、少なくとも１つまたは対向する２つの接着フラップ３８を有する。したがって、少なくとも接続側壁１０および前側壁１５は、それぞれの隣接する側壁に接続することができる２つの横方向接着フラップ３８を有する。上部３の接着フラップは、それらの自由端が丸みを帯びていて、少なくともその曲率の最初のセクションでは、隣接する側壁の自由端と平行で、対応する端面２２で終わる（図４参照）。
【００４６】
各側壁の対応する側縁４２および４３は、互いに向かって延び、対応する折り線３６まで丸められる。ブランク３２における上部３のこの設計は、特に接続セクション分３１の領域で、上部３のほぼ丸い形状をもたらす。
【００４７】
上部の対応する側壁の高さが下部の側壁の高さよりも高いため、容器１を閉じると上部の側壁が下部の側壁をオーバーラップすることがすでに指摘された。
【００４８】
旋回接続部１８は、２つの接続側壁４と１５との間に形成される。これは、波状の交差線３９と、その両側に配置された折り線４０とから構成される。交差線３９は、下部および上部の互いに対する旋回を容易にし、それにより、対応する折り線は、下部と上部との間の接続を維持する。
【００４９】
本発明によれば、食品、特にハンバーガーなどのための容器は、下部および上部を有し、それらは開放状態で両方とも支持体上に水平に載置され、そして全体として、ユーザーの方向を下にして、側壁の側端に沿って斜めのコースを有する、上記の方法で得られる。容器の形状は六角形または八角形であってよく、特に上部は上壁の方向に丸められている。閉じたときに対応するオーバーラップを可能にするために、対応する側壁の高さは、下部よりも上部の方が高くなっている。
【図１】
2021502932.tif 000003
【図２】
2021502932.tif 000004
【図３】
2021502932.tif 000005
【図４】
2021502932.tif 000006
【図５】
2021502932.tif 000007
【国際調査報告】
2021502932.tif 000008
2021502932.tif 000009
2021502932.tif 000010
2021502932.tif 000011
2021502932.tif 000012